(57)【特許請求の範囲】
【請求項１】
金属線を曲げて装飾体の外形をなす金属フレームを作るフレーム作り工程と、
前記金属フレームの内縁に乾燥前は粘性の高い液状であり乾燥により固化する粘着性素材を盛り付ける粘着性素材盛り付け工程と、
前記粘着性素材をある一点から引っ張って糸状体を出し、他点の前記粘着性素材まで繋げることにより橋梁を設けてゆき、前記金属フレームに囲まれた空間内に前記粘着性素材からなる網目構造体を作る網目構造体製作工程と、
塗料で前記粘着性素材からなる網目構造体を彩色する彩色工程と、
透明コーティング材で表面全体をコーティングするコーティング工程と、
前記装飾体の外形が保持されるように前記金属フレームの一部を固定し、デザイン上必要な装飾物を盛り付ける仕上げ工程を備えた装飾体の製作方法。
【請求項２】
前記網目構造体製作工程を、第１回目の網目構造体製作工程と、第２回目の網目構造体製作工程の２回の工程とし、前記第２回目の網目構造体製作工程で用いる前記粘着性素材を、前記第１回目の網目構造体製作工程で用いる前記粘着性素材とは異なるものを用いることを特徴とした請求項１に記載の装飾体の製作方法。
【請求項３】
前記第２回目の網目構造体製作工程で用いる前記粘着性素材の粘度を前記第１回目の網目構造体製作工程で用いる前記粘着性素材の粘度より弱いものとし、前記第２回目の網目構造体製作工程で用いる前記粘着性素材に含まれる溶媒を前記第１回目の網目構造体製作工程で用いる前記粘着性素材に含まれる溶媒と異なるものとすることを特徴とする請求項２に記載の装飾体の製作方法。
【請求項４】
請求項１から３のいずれか１項に記載の装飾体の製作方法により製作された装飾体。
【請求項５】
身体または被服への装着治具を取り付け、アクセサリーとした請求項４に記載の装飾体。
【請求項６】
帯用の装着治具を取り付け、帯留めまたは帯飾りとした請求項４に記載の装飾体。
【請求項７】
照明器具を取り付け、照明用インテリアとした請求項４に記載の装飾体。
【発明の詳細な説明】
【技術分野】
【０００１】
本発明は、アクセサリー、帯留め、帯飾り、照明用インテリアなどに応用できる装飾体およびその制作方法の技術分野に関する。
【背景技術】
【０００２】
美しい光沢をもったアクセサリー類などは市場において人気があり、活発に取引され、大きな需要を創出している。
アクセサリー類には多様な素材が用いられており、多様なデザインが可能であり、また多様な製作方法で製作されている。
【０００３】
例えば、素材としては、ダイヤモンドやルビーなどの鉱物を貴金属のベースに加工してあしらったもの、真珠などの天然物を貴金属のベースに加工してあしらったものなど多様である。用いられる素材は鉱物や貴金属など高価なものばかりではなく、アルミニウムやスチールなどの金属、ガラスやビーズなどの固形物質、紙や布や紐などの繊維、木の実や花などの天然物など多数のものがある。
【０００４】
例えば、デザインは、幾何学模様にかぎらず、天然物を模したものなど多様なものがある。例えば、意匠登録第１１３６１３３１号は蝶々を模したものとなっている。特に、女性が好むデザインとして造花がある。造花は基本的に花びら（花弁）、がく、葉、茎などの各構成を模写したものである。造花には忠実に自然に近い花を再現することを目指すものもあれば、デフォルメした形で花を造形するものもある（特開平５−１３１７９８、特開平１０−３３１０１６、特開平１１−２８６１９９、特開２００３−３２８２２１）。
【０００５】
製作方法に関しても様々な製作方法が案出されているが、基本的には金属の鋳物、彫金、曲げ、延展、溶接などの各製作方法、鉱物や天然物や固形物質を金属土台に支持、接着などにより装着する各製作方法、紙や布などで包む製作方法、紐や糸などで結ぶ製作方法を組み合わせたものなどがある。
【０００６】
【特許文献１】特開平５−１３１７９８
【特許文献２】特開平１０−３３１０１６
【特許文献３】特開平１１−２８６１９９
【特許文献４】特開２００３−３２８２２１
【非特許文献１】意匠登録第１１３６１３３１号
【発明の開示】
【発明が解決しようとする課題】
【０００７】
アクセサリー類は一大市場を形成しているので、資本の充実した有名ブランドメーカーが職人を雇用して製作させる高級品や大量製作による量産品からアーティスト個人が手作りで製作する一品製作品までさまざまなレンジの商品がある。
ここで、本発明はアーティスト個人が手作りで製作する一品製作品のレンジを採り上げ、その新しい製作方法を開発し、当該製作方法で製作した装飾体を提供するものである。
アーティスト個人が手作りで製作する一品製作の装飾品の製作方法において、新しいアクセサリー類などに要求される要素を考えると以下の条件を満たすものが好適である。
【０００８】
まずは、形状維持機能である。アクセサリー類などは使い捨てではなく、繰り返し長期間使用することが前提のものであり形状が維持される必要がある。全体が鉱物のような硬度や硬い金属のような剛性までは必ずしも要求されないものの、その形状がしっかりと維持される必要がある。
【０００９】
次に、光沢を伴う美しさである。アクセサリー類などは基本的に素材表面にて光を反射させたり散乱させたりするなどしてある程度の光沢が必要である。磨き上げた金属表面のような鏡面のような光沢までは必ずしも要求されないものの、素材表面において光を反射させたり散乱させたりするなどしてある程度の光沢が必要である。
【００１０】
次に、大きさと重量の関係である。比較的大きなアクセサリーは遠目からも良く目立つためある程度の大きさがある方がゴージャス感があり好適である。その一方で重量がある程度軽い必要がある。比重の重い貴金属のみを用いて大きなアクセサリー類を製作すると重量が大きくなりすぎて装着には不都合なことが多い。また、重量のためにデザインの制約が生じてしまう。そこで、ある程度の大きさを現出できるもののその重量がある程度軽くなるものが好ましい。
【００１１】
次に、価格がリーズナブルであることである。ダイヤモンドやルビーなどの高価な鉱物は美しさでは優れているものの、価格が高価であるため、それら鉱物をあしらったものは高価なものとなってしまう。本発明は装飾体を求める人に愛されつつ楽しんでもらえるように比較的リーズナブルな価格で提供できる新しい製作方法、当該製作方法で製作する装飾体を目指すものである。また、装飾体を高価な鉱物などを用いて製作した場合、その高価な鉱物をできるだけ目立たせるようにアクセサリーのデザインが制限されてしまう。つまり、指輪のように鉱物を中心に据えて立爪で立体的に持ち上げる如くのデザインや、ペンダントのように鉱物をペンダントトップの中心に据えてチェーンで吊るして首に巻くデザインなどとなり勝ちである。
【００１２】
次に、デザイン上の制約がなく、多様な外形を造型できることである。これは新しい製作方法としては重要なポイントである。デザイン上の自由度が高い製作方法であれば、デザイナーの自由なインスピレーションを形として造型でき、素晴らしいデザインを適用することができる。アクセサリー類として大きな需要を生み出す可能性がある。
【００１３】
本発明は、アーティスト個人が手作りで製作する一品製作の装飾品の製作方法において、上記した条件を満たす製作方法を提供するものであり、当該製作方法を適用した装飾体を提供することを目的とする。なお、本発明の新しい製作方法を適用して製作した装飾体としては、アクセサリー類、帯留め、帯飾り、照明用インテリアなど多様なものが可能である。
【課題を解決するための手段】
【００１４】
上記目的を達成するため、本発明の装飾体の製作方法は、
金属線を曲げて装飾体の外形をなす金属フレームを作るフレーム作り工程と、
前記金属フレームの内縁に乾燥前は粘性の高い液状であり乾燥により固化する粘着性素材を盛り付ける粘着性素材盛り付け工程と、
前記粘着性素材をある一点から引っ張って糸状体を出し、他点の前記粘着性素材まで繋げることにより橋梁を設けてゆき、前記金属フレームに囲まれた空間内に前記粘着性素材からなる網目構造体を作る網目構造体製作工程と、
塗料で前記粘着性素材からなる網目構造体を彩色する彩色工程と、
透明コーティング材で表面全体をコーティングするコーティング工程と、
前記装飾体の外形が保持されるように前記金属フレームの一部を固定し、デザイン上必要な装飾物を盛り付ける仕上げ工程を備えた製作方法である。
【００１５】
上記制作方法により、金属フレームにより外形を自由に造型することができ、デザインの自由度が高まるとともに、ある程度の適度な形状維持機能を持たせることができる。さらに金属フレームを用いるので容易に大きな外形とすることができる。さらに、金属フレーム間を粘着性素材で形成した網目構造体により埋めるので重量を軽くすることができる。さらに、粘着性素材で形成した網目構造体は容易に彩色することができ、彩色の上にコーティングされているので光沢を持たせることができる。また、金属フレームおよび粘着性素材をベースとするのでリーズナブルな価格で提供することができる。
【００１６】
ここで、金属フレームは、例えば、アルミ線、スチール線を用いることができる。なお、表面をカラーコーティングしたアルミ線やスチール線とすればより見栄えがするデザインとすることができる。
【００１７】
また、ここで、粘着性素材は、乾燥前は粘性の高い液状であり乾燥により固化する接着剤を用いることができる。
【００１８】
ここで、上記製作方法において、前記網目構造体製作工程を、第１回目の網目構造体製作工程と、第２回目の網目構造体製作工程の２回の工程とし、前記第２回目の網目構造体製作工程で用いる前記粘着性素材を、前記第１回目の網目構造体製作工程で用いる前記粘着性素材とは異なるものを用いることが好ましい。
【００１９】
例えば、前記第２回目の網目構造体製作工程で用いる前記粘着性素材の粘度を前記第１回目の網目構造体製作工程で用いる前記粘着性素材の粘度より弱いものとし、前記第２回目の網目構造体製作工程で用いる前記粘着性素材に含まれる溶媒を前記第１回目の網目構造体製作工程で用いる前記粘着性素材に含まれる溶媒と異なるものとする。
【００２０】
上記製作方法により、第１回目の網目構造体製作工程により形成した網目構造体をベースとしてさらに第２回目の網目構造体製作工程により網目構造体を上から形成する際に、第２回目の網目構造体製作工程の粘着性素材（第２の粘着性素材）の粘度がベースとなっている第１回目の網目構造体製作工程の粘着性素材（第１の粘着性素材）の粘度より小さいために、第２回目の網目構造体製作工程において既に形成されている網目構造体を壊してしまったり潰してしまったりすることがない。また、第１回目の網目構造体製作工程で用いる粘着性素材の溶媒（第１の粘着性素材）と第２回目の網目構造体製作工程で用いる粘着性素材（第２の粘着性素材）の溶媒が異なるためにベースとなっている粘着性素材（第１の粘着性素材）の上から第２回目の網目構造体製作工程で用いる粘着性素材（第２の粘着性素材）を上から載せ置いても第２の粘着性素材の溶媒がベースとなっている第１の粘着性素材を再び溶かして液体状にしてしまうことがない。
【００２１】
本発明にかかる装飾体は、上記の本発明の装飾体の制作方法により製作された装飾体である。
本発明にかかる装飾体としては多様なものが想定できる。
例えば、身体または被服への装着治具を取り付けたものとすれば、アクセサリーとすることができる。
また、たとえば、帯用の装着治具を取り付けたものとすれば、帯留めまたは帯飾りとすることができる。
また、例えば、外形を内部に中空を有する袋状のものとし、その内部に照明器具を取り付けたものとすれば、照明用インテリアとすることができる。
【発明の効果】
【００２２】
本発明の装飾体の制作方法によれば、新しいアクセサリー類の製作方法として求められる条件を好適に満たすことができる。例えば、金属フレームにより外形を自由に造型することができ、デザインの自由度が高まるとともに、ある程度の適度な形状維持機能を持たせることができる。さらに金属フレームを用いるので容易に大きな外形とすることができる。さらに、金属フレーム間を粘着性素材で形成した網目構造体により埋めるので重量を軽くすることができる。さらに、粘着性素材で形成した網目構造体は容易に彩色することができ、彩色の上にコーティングされているので光沢を持たせることができる。また、金属フレームおよび粘着性素材をベースとするのでリーズナブルな価格で提供することができる。
また、本発明にかかる装飾体としては、上記の本発明の装飾体の制作方法により製作することにより、アクセサリー、帯留めまたは帯飾り、照明用インテリアなど多様なものに適用することができる。
【発明を実施するための最良の形態】
【００２３】
以下、図面を参照しつつ、本発明の装飾体の制作方法およびその方法により製作した装飾体の実施例を説明する。ただし、本発明の技術的範囲は以下の実施形態に示した具体的な用途や形状・寸法などには限定されない。
【実施例１】
【００２４】
実施例１として本発明の装飾体の制作方法の工程例を示す。
図１は本発明の装飾体の製作方法の流れを示す流れ図である。
図２から図６はフレーム作り工程の一例を示したものである。
図７から図１１は一例として、葉を模したアクセサリーを製作する流れを各工程ごとに分けて示す図である。
図１に示すように、本発明の装飾体の制作方法は、フレーム作り工程１００、粘着性素材盛り付け工程２００、網目構造体製作工程３００、彩色工程４００、コーティング工程５００、仕上げ工程６００の各工程を備えている。
【００２５】
フレーム作り工程１００は、金属線を曲げて装飾体の外形をなす金属フレーム１０を作る工程である。
金属線は例えばアルミ線とする。アルミ線は比較的柔らかく曲げ加工が容易であり、手やペンチなどの治具により思い通りに曲げて行く。
金属線の曲げ加工の結果、極めて多様なフレーム形状を製作することができる。一例として花を模したフレーム形状を製作する様子を図を参照しつつ順を追って説明する。
【００２６】
図２は金属線により一つの輪を作った様子を示す図である。
図３は図２の状態から、輪の根元を捻ることにより輪の形状を安定させる作業を示す図である。
図４は、図３の状態からさらに一つの輪を横に連続して設けた様子を示す図である。図３同様に輪の根元を捻ることにより輪の形状を安定させている。なお、この例では、輪の先端付近をへこませて花びらの先端が割れている様子を作りこんでいる。
図５は、製作する花が持つ個数の花びらを連続して作りこんだ様子を示す図である。この例では６つの花びらを作りこんだが、製作予定の花が持つ個数分の花びらを作りこめば良い。
図６は、花びらが周回するように花びらの根元を併せて行き、花の形状となるように全体を調整して造形する様子を示す図である。金属フレーム１０の花の根元（花柄）のあたりをしっかりと糸や針金などで結びつけ、花びらや葉として造形されている金属フレーム１０がバラバラになったりしないように固定する。
このように、金属線を曲げ加工して行き、金属フレームを製作する。
【００２７】
なお、この例では、全ての花びらを１本の金属線から連続して作って行く工程となっているが、複数本の金属線からそれぞれ最終的に造形するもののパーツを作りこんで行き、後でそれらパーツを組み合わせて最終造形物を得ることも可能である。複雑な造形物であれば、１本の金属線のみから造形するよりも複数本の金属線でそれぞれ作り上げたパーツを組み合わせる方が製作が容易になる場合もある。
【００２８】
また、金属フレーム１０を立体的に形成することも可能である。例えば、図７（ａ）の葉の外形を作りこんだ金属フレームに対して、図７（ｂ）に示すように、葉の外形（葉縁）１１を形作っている金属フレーム１０ａに対してその葉先から葉柄にかけて葉脈（中央脈）にあたる柱構造１２の金属フレーム１０ｂを設け、この柱構造１２の金属フレーム１０ｂを葉の外形（葉縁）１１の金属フレーム１０ａが形成している平面に対して立体的な空間を張るように曲げて形成する。例えば、葉の外形（葉縁）１１の金属フレーム１０ａが形成している平面をＸＹ平面と見立てた場合、葉脈（中央脈）にあたる柱構造１２の金属フレーム１０ｂをＺ軸方向へずれるように上下に波打たせて形成する。このように金属フレーム１０を立体的なものとして形成することができる。
【００２９】
次に、粘着性素材盛り付け工程２００、網目構造体製作工程３００、彩色工程４００、コーティング工程５００の例を図を参照しつつ説明する。
説明を簡単にするため、一つの葉を造形する工程を例に挙げる。金属フレーム１０として図７（ａ）の平面的な葉を例として説明する。
まず、フレーム作り工程１００により、図７（ａ）に示すように、アルミ線を曲げて葉の外形（葉縁）を形作って行き、葉の外形（葉縁）となるように金属フレーム１０が得られているものとする。
【００３０】
次に、粘着性素材盛り付け工程２００は、金属フレーム１０の内縁に乾燥前は粘性の高い液状であり乾燥により固化するという性質を持つ粘着性素材２０を盛り付ける工程である。
粘着性素材盛り付け工程２００では、図８（ａ）に示すように、フレーム作り工程１００により形作った金属フレーム１０の内縁に粘着性素材２０を盛り付ける。ここでは、粘着性素材として接着剤を用いる。接着剤としては乾燥前は粘性の高い液状であり乾燥により固化するものであれば良く、アクセサリーの一部を形成するので皮膚に触れても無害なものが好ましい。接着剤の色彩は透明のものが好ましい。
【００３１】
次に、網目構造体製作工程３００は、金属フレーム１０に囲まれた空間内に前記粘着性素材２０からなる網目構造体２２を作る工程である。この網目構造体製作工程３００をより細かく分けると、粘着性素材２０をある一点から引っ張って糸状体を出し、他点の粘着性素材２０まで繋げることにより橋梁２１を設ける橋梁形成工程３１０と、橋梁工程３１０を繰り返して最終的に金属フレーム１０に囲まれた空間内に粘着性素材２０からなる網目構造体２２を作る網目構造体製作工程３２０を備えている。
【００３２】
橋梁形成工程３１０では、図８（ｂ）に示すように、粘着性素材盛り付け工程２００で金属フレーム１０の内縁に盛り付けた粘着性素材２０に対して棒状の治具などを用いて橋梁２１を形成してゆく。例えば、金属フレーム１０の内縁の一箇所（Ａ）に治具を触れさせて粘着性素材２０を引き伸ばして糸状体を作り、他の箇所（Ｂ）まで治具を移動させて糸状体を他の箇所（Ｂ）に盛り付けられている粘着性素材２０につなげて橋梁２１を形成する。
図９（ａ）に示すように、多数の橋梁を設けて最終的に金属フレーム１０に囲まれた空間内に粘着性素材２０からなる網目構造体２２を作る。
【００３３】
次に、彩色工程４００は、粘着性素材２０からなる網目構造体２２を塗料３０により彩色する工程である。デザインに従い様々な彩色を施せば良い。例えば、塗料３０としてはアクリル絵の具などがある。アクリル絵の具はパステルカラー色など女性の好む色合いを出しやすく綺麗な彩色を施すことができる。また、塗料３０としてマニキュアも好ましい。マニキュアもパステルカラー色など女性の好む色合いを出しやすく綺麗な彩色を施すことができる。例えば、図９（ｂ）に示すように筆や刷毛などで丁寧に塗料４０を網目構造体２２に彩色してゆく。
【００３４】
コーティング工程５００は、彩色工程４００により彩色を施した網目構造体２２に対して、透明コーティング材４０で表面全体をコーティングする工程である。透明コーティング材４０としては例えばニスが挙げられる。透明コーティングを施すことにより網目構造体２２の構造的強度が高まり、また、網目構造体２２に彩色された色合いの光沢が増すという効果が得られる。例えば、図９（ｂ）に示すように筆や刷毛などで丁寧にコーティング材５０を網目構造体２２にコーティングしてゆく。
このフレーム作り工程１００、網目構造体製作工程３００、彩色工程４００、コーティング工程５００を繰り返し、デザインを完成させてゆく。
例えば、全体のデザインが造花である場合、図１０に示すように、花びら（花弁）、がく、葉、茎などを組み合わせて全体のデザインを造形してゆく。
【００３５】
次に、仕上げ工程６００を説明する。
仕上げ工程６００は、装飾体の外形が保持されるように金属フレーム１０の一部を固定し、デザイン上必要な装飾物を盛り付ける工程である。
例えば、図６に示すように、金属フレーム１０の花の根元（花柄）のあたりをしっかりと糸や針金などで結びつけ、花びらや葉として造形されている金属フレーム１０がバラバラになったりしないように固定する。
さらに、この仕上げ工程６００において、図１０のように、別に製作したパーツを組み合わせて行くこともありえる。
【００３６】
また、デザイン上必要な装飾物も盛り付ける。例えば、図１１に示すように、花びらの一部にビーズを盛り付けるデザインであればビーズなどの装飾物５０を盛り付ける。
また、アクセサリーとしては身体に装着するための治具が必要となる場合があるが、この仕上げ工程６００で取り付ける。クリップを装着治具とする場合、花びらの裏にクリップを取り付ける。
【００３７】
以上、本発明の装飾体の制作方法を用いて装飾体を造形することにより、アクセサリー、帯留めまたは帯飾り、照明用インテリアなど多様なものに適用することができる。
【実施例２】
【００３８】
実施例２にかかる本発明の装飾体の制作方法は、網目構造体製作工程を複数回に分けて網目構造体を形成する手法を適用したものである。
実施例２にかかる本発明の装飾体の制作方法では、実施例１で説明した網目構造体製作工程３００を、第１回目の網目構造体製作工程３００ａと、第２回目の網目構造体製作工程３００ｂの２回の工程とし、第２回目の網目構造体製作工程３００ｂで用いる粘着性素材２０ｂを、第１回目の網目構造体製作工程３００ａで用いる粘着性素材２０ａとは異なるものを用いている。
【００３９】
ここで、第２回目の網目構造体製作工程３００ｂで用いる粘着性素材２０ｂの粘度を第１回目の網目構造体製作工程３００ａで用いる粘着性素材２０ａの粘度より弱いものとし、第２回目の網目構造体製作工程３００ｂで用いる粘着性素材２０ｂに含まれる溶媒を第１回目の網目構造体製作工程３００ａで用いる粘着性素材２０ａに含まれる溶媒と異なるものとする。
このように、網目構造体製作工程を複数回に分けて網目構造体２２を形成することにより、網目構造体２２を数多く製作したり、網目構造体２２の網目をより複雑なパターンに形成したりすることが可能となる。
【００４０】
実施例１で説明したように、網目構造体製作工程３００では粘着性素材２０を金属フレーム１０の内縁の一点から引っ張って糸状体を出し、他点の粘着性素材２０まで繋げることにより橋梁２１を設けてゆく。しかし、金属フレーム１０により囲まれている領域は一定の広さであり、かつ、金属フレーム１０の内縁の一点から引っ張り出された糸状体は乾燥する前にはまだ構造強度は弱く、他の糸状体と接してしまうと破れてしまうおそれがある。そのため、糸状体が重ならないように金属フレーム１０で囲まれた領域に橋梁２１を設けて行かざるを得ず、網目構造体２２が粗いものとなってしまう。
【００４１】
そこで、網目構造体製作工程３００を複数回に分けて網目構造体２２を形成し、第１回目の網目構造体製作工程３００ａで形成した網目構造体２２ａをしっかり乾燥させたものをベースとして、第２回目の網目構造体製作工程３００ｂで形成した網目構造体２２ｂを網目構造体２２ａの上に重ねて形成することにより徐々に網目構造体２２を細かいものとしてゆく。
【００４２】
ここで、本発明では、粘着性素材の粘度と溶剤の種類について以下の工夫を行うことが可能である。
まず粘度については、第２回目の網目構造体製作工程３００ｂで用いる粘着性素材２０ｂの粘度を第１回目の網目構造体製作工程３００ａで用いる粘着性素材２０ａの粘度より弱いものとする。粘度の大きいものは糸状体を引き出す際には大きなテンションがかかり、ベースとなっている網目構造体２２ａを壊してしまうことも有り得る。そこで、乾燥したベースとなっている網目構造体２２ａを壊さないように、第２回目の網目構造体製作工程３００ｂで用いる粘着性素材２０ｂの粘度を弱いものに調整する。
【００４３】
次に、溶剤に関しては、第２回目の網目構造体製作工程３００ｂで用いる粘着性素材２０ｂに含まれる溶媒を第１回目の網目構造体製作工程３００ａで用いる粘着性素材２０ａに含まれる溶媒と異なるものとする工夫を施す。本発明では粘着性素材２０は液状体から乾燥することにより固化するものであるが、この変化は溶剤が蒸発して溶剤に溶けていた溶質が固化して固体となる変化であったり、溶剤が酸素と触れて化学変化を起こして固体となる変化であったりする。ここで、一度しっかりと乾燥して固化した橋梁２１であっても、再び溶剤に触れると、溶質が溶剤に再び溶けて液状に戻ってしまったり、固化した化学変化が可逆変化であると逆の化学変化を起こして再び液状に戻ってしまったりするおそれがある。そのため、第１回目の網目構造体製作工程３００ａにより一度しっかり乾燥して固化してベースとした網目構造体２２ａに対して、第２回目の網目構造体製作工程３００ｂで用いる粘着性素材２０ｂの溶剤が触れると網目構造体２２ａが液状に戻ってしまうおそれがある。しかし、溶質と溶剤には組み合わせがあり、同じ溶質であっても特定種類の溶剤に対しては容易には溶け込まないことが多い。
【００４４】
そこで、本発明では、第２回目の網目構造体製作工程３００ｂで用いる粘着性素材２０ｂに含まれる溶媒を第１回目の網目構造体製作工程３００ａで用いる粘着性素材２０ａに含まれる溶媒と異なるもので、粘着性素材２０ｂに含まれる溶質が溶け込みにくい性質を備えた溶剤とすることにより、図１２に示すように、一度しっかり乾燥して固化してベースとした網目構造体２２ａに対して上から新たな網目構造体２２ｂを重ねて行きやすいようにする。
網目構造体２２ａの橋梁２１ａから他の橋梁２１ａに対して新たな橋梁２１ｂを設けることも可能である。
【実施例３】
【００４５】
上記した実施例１または実施例２で説明した本発明の装飾体の制作方法により様々な装飾体を造形することができる。
実施例１では、身体または被服への装着治具を取り付けて、花をモチーフとした造花のデザインを持つアクセサリーを例に装飾体を説明したが、他にも、様々なモチーフのデザインが可能である。
例えば、帯用の装着治具を取り付け、様々なモチーフを施して、帯留めまたは帯飾りとすることもできる。
また、例えば、照明器具を取り付け、照明用インテリアとすることができる。
また、アクセサリー、帯留め、帯飾り、照明用インテリアに限らず、様々な装飾体を造形することも可能である。
【００４６】
以上、本発明の装飾体における好ましい実施例を図示して説明してきたが、本発明の技術的範囲を逸脱することなく種々の変更が可能であることは理解されるであろう。
【産業上の利用可能性】
【００４７】
本発明の製作方法は装飾体を造形する制作方法として対して広く適用することができる。また、本発明の装飾体としては様々なアクセサリー、帯留め、帯飾り、照明用インテリア、その他の様々な装飾体に広く適用することができる。
【図面の簡単な説明】
【００４８】
【図１】本発明の装飾体の製作方法の流れを示す流れ図
【図２】金属線により一つの輪を作った様子を示す図
【図３】図２の状態から、輪の根元を捻ることにより輪の形状を安定させる作業を示す図
【図４】図３の状態からさらに一つの輪を横に連続して設けた様子を示す図
【図５】製作する花が持つ個数の花びらを連続して作りこんだ様子を示す図
【図６】花びらが周回するように花びらの根元を併せて行き、花の形状となるように全体を調整して造形する様子を示す図
【図７】フレーム作り工程１００において金属フレーム１０を製作する様子を模式的に示した図
【図８】粘着性素材盛り付け工程２００において金属フレーム１０の内縁に粘着性素材２０を盛り付ける様子を模式的に示した図
【図９】金属フレーム１０に囲まれた空間内に粘着性素材２０からなる網目構造体２２を作る様子を模式的に示した図
【図１０】全体のデザインを造形してゆく様子を模式的に示した図
【図１１】仕上げ工程６００の例として装飾物を取り付ける様子を模式的に示した図
【図１２】実施例２にかかる網目構造体製作工程を複数回に分けて網目構造体を形成する制作方法を模式的に示した図
【符号の説明】
【００４９】
１０  金属フレーム
２０  粘着性素材
２１  橋梁
２２  網目構造体
３０  塗料
４０  コーティング材
５０  装飾物
【図１】
0005183154.tif 000002
【図２】
0005183154.tif 000003
【図３】
0005183154.tif 000004
【図４】
0005183154.tif 000005
【図５】
0005183154.tif 000006
【図６】
0005183154.tif 000007
【図７】
0005183154.tif 000008
【図８】
0005183154.tif 000009
【図９】
0005183154.tif 000010
【図１０】
0005183154.tif 000011
【図１１】
0005183154.tif 000012
【図１２】
0005183154.tif 000013